(57)【要約】      （修正有）【課題】作業者個々の作業体勢に応じた角度にてキャリアレンズにルーペを取り付けることができる双眼ルーペの製作方法を提供する。【解決手段】被検者が作業体勢を執って下方の作業操作箇所を凝視している状態において、被検者の左右の眼球に赤外線発光ダイオード３６Ａ及び３６Ｂから赤外線を照射して、左右両眼からの反射光を一対のアイカメラ３５Ａ及び３５Ｂによって撮像する。撮像した画像データを処理して両眼それぞれの視線方向を演算し、演算した視線方向から左右のキャリアレンズの面にそれぞれ装着するルーペの各内側装着角度及び下方装着角度を決定する。そして、下方装着角度と内側装着角度とに基づいて左右のキャリアレンズの面に開口を形成して、開口に左右のルーペを挿入して固定して双眼ルーペを製作する。【選択図】図８
2015031770.tif 000002
【特許請求の範囲】
【請求項１】
フレームに装着したキャリアレンズにルーペを取り付ける双眼ルーペの製作方法であって、
（ａ）作業体勢を執って下方の作業操作箇所を凝視している状態での作業者の左右の眼球に赤外線を照射するステップと、
（ｂ）左右の眼球からの赤外線による反射光を一対の撮像素子によって受光するステップと、
（ｃ）前記撮像素子からの画像データを処理して両眼それぞれの視線方向を演算するステップと、
（ｄ）前記視線方向から左右の前記キャリアレンズ面にそれぞれ装着する前記ルーペの各内側装着角度ｐを決定するステップと、
（ｅ）前記視線方向から左右の前記キャリアレンズ面にそれぞれ装着する前記ルーペの下方装着角度ｒを決定するステップと、
（ｆ）前記下方装着角度ｒと、前記内側装着角度ｐとに基づいて左右の前記キャリアレンズ面に開口を形成し、前記開口に左右の前記ルーペを挿入して固定するステップと、の各ステップを有することを特徴とする双眼ルーペの製作方法。
【請求項２】
前記ステップ（ａ）では、赤外線発光ダイオード又は赤外線を発光するストロボを用いて作業者の左右の眼球に赤外線を照射することを特徴とする請求項１に記載の双眼ルーペの製作方法。
【請求項３】
前記ステップ（ｃ）における前記視線方向は、前記画像データに含まれているプルキニエ像の位置から演算することを特徴とする請求項１に記載の双眼ルーペの製作方法。
【請求項４】
前記ステップ（ｃ）における前記視線方向は、前記プルキニエ像の位置の瞳孔の中心点からの位置（Ｘ、Ｙ）から演算することを特徴とする請求項３に記載の双眼ルーペの製作方法。
【請求項５】
前記ステップ（ｄ）において、前記内側装着角度ｐは、角膜の曲率中心及び瞳孔の前記中心点間の寸法ｃと前記Ｘの値とで決定することを特徴とする請求項４に記載の双眼ルーペの製作方法。
【請求項６】
前記ステップ（ｅ）において、前記下方装着角度ｒは、角膜の曲率中心及び瞳孔の前記中心点間の寸法ｃと前記Ｙの値とで決定することを特徴とする請求項４に記載の双眼ルーペの製作方法。
【請求項７】
前記ステップ（ｅ）において、加速度センサーを取り付けた前記フレームを着用した作業者による前記作業体勢時における前記加速度センサーの出力に基づき前記フレームの前傾角度ｓを演算し、前記前傾角度ｓを用いて前記下方装着角度ｒを補正することを特徴とする請求項１又は６に記載の双眼ルーペの製作方法。
【請求項８】
前記キャリアレンズの左右それぞれの表面に右瞳孔位置及び左瞳孔位置を特定するステップ（ｇ）をさらに含み、前記ステップ（ｆ）は、前記右瞳孔位置及び左瞳孔位置と、前記下方装着角度ｒと、前記内側装着角度ｐとに基づいて左右の前記キャリアレンズの表面に前記開口を形成することを特徴とする請求項１乃至７の何れかに記載の双眼ルーペの製作方法。
【請求項９】
前記ステップ（ｇ）は、前記作業操作箇所を凝視している状態での前記作業者の左右の眼球に前記作業操作箇所からストロボ光を照射し、前記ストロボ光の反射光を前記作業操作箇所に配置した撮像装置によって撮像し、前記撮像装置の撮像データから右瞳孔位置及び左瞳孔位置を特定することを特徴とする請求項８に記載の双眼ルーペの製作方法。
【請求項１０】
前記ステップ（ｇ）は、前記撮像データにおいて前記フレームの中心点から左右側の予め設定された領域内において輝度が予め設定された閾値を超える所定範囲の面積を有し且つその周辺領域よりも所定倍数以上の輝度を有する箇所の中心点を求めることで右瞳孔位置及び左瞳孔位置を特定することを特徴とする請求項９に記載の双眼ルーペの製作方法。
【請求項１１】
前記撮像装置は、ストロボ光照射装置を備え、前記撮像データをメモリ内に電子的に格納するデジタルカメラであることを特徴とする請求項９に記載の双眼ルーペの製作方法。
【請求項１２】
前記ルーペは、前記作業操作箇所を拡大する固定倍率又は倍率を所定の範囲で可変可能なズーム機能を有する特徴とする請求項１に記載の双眼ルーペの製作方法。
【請求項１３】
前記キャリアレンズは、前記作業者の視力調整用レンズである請求項１に記載の双眼ルーペの製作方法。
【請求項１４】
前記作業者が前記作業体勢を解除し前記作業操作箇所よりも上方遠方を見る時の立姿勢において、
前記キャリアレンズを装着したフレームを着用した前記作業者による前記双眼ルーペを使用する前記立姿勢時における作業操作箇所からストロボ光を照射するステップと、
前記作業者の瞳孔からの前記ストロボ光の反射光を前記作業操作箇所に配置された前記撮像装置によって撮影するステップと、
前記撮像装置による正面の撮像データに基づいて、前記フレームの中心点からの前記作業者の右瞳孔位置及び左瞳孔位置を電子的に特定するステップと、
前記作業者の右瞳孔位置及び左瞳孔位置に前記視力調整用レンズの中心が配置されるステップと、
の各ステップを有し、これにより前記キャリアレンズを製作することを含む請求項１３に記載の双眼ルーペの製作方法。
【請求項１５】
前記ステップ（ｆ）における前記左右のルーペを装着するための開口の形成は、ＮＣ加工機により切削加工して行われることを特徴とする請求項１に記載の双眼ルーペの製作方法。
【請求項１６】
前記ステップ（ｇ）において前記左右のキャリアレンズに形成された前記開口に前記左右のルーペを取り付ける際、レーザー位置決め機によって前記下方装着角度ｒ及び前記内側装着角度ｐで位置決めし、位置決めした状態で前記左右のルーペを前記左右のキャリアレンズに挿入して固定することを特徴とする請求項１５に記載の双眼ルーペの製作方法。
【発明の詳細な説明】
【技術分野】
【０００１】
本発明は、医療手術や精密工作作業の際に使用される双眼ルーペに関するものであり、特に、フレームのキャリアレンズにルーペを取り付ける双眼ルーペの製作方法に関する。
【背景技術】
【０００２】
双眼ルーペは、手元の局所的な視覚対象物を拡大して視認する手段として、従来から、医療分野、精密工作、宝石加工等の各分野において広く使用されており、これらの分野では、高い精度で視認できることが要求される。
【０００３】
一般的なレンズ嵌め込み式の双眼ルーペ１０の構成は、図１に示すように、眼鏡と同じ構造のフレーム１と、作業対象の像を拡大するための双眼ルーペ本体であるルーペ２と、フレーム１に嵌め込まれてルーペ２を取り付けるためのキャリアレンズ５と、ルーペ２をキャリアレンズ５に取り付けるための取付部３と、精密作業者の顔に装着するためのフレーム蔓部６と、から成る。ルーペ２は、キャリアレンズ５の表面に刳り抜いた開口に挿入されて取付部３にて固定されている。
【０００４】
図２は、双眼ルーペ１０を作業者が着用した状態を示す説明図である。双眼ルーペ１０は、通常の眼鏡と同様に、フレーム１のフレーム蔓部６を、作業者の耳に掛けることにより顔面に着用することができる。
【０００５】
このような双眼ルーペ１０は、特に、医療分野において用いられる場合には、人命に関わることから、作業者個々における瞳孔間距離や作業体勢に適合させたものであることが求められ、高精度の視認性を確保するためには、作業者の身体的特徴に応じて、以下の手順に沿って製作される。
【０００６】
（１）作業者の顔の身体的特徴に適合したフレームの選定
フレーム蔓部６が作業者の側頭部にフィットしていると共に、フレーム蔓部６の曲状の先端部が耳に適切に掛かる。一組のキャリアレンズ５の間に設けられるノーズパッドが作業者の眉間と完全に接触している。
【０００７】
（２）ＰＤメーターによる瞳孔間距離の測定
瞳孔間距離を測定するには、ＰＤメーターを用いて測定するのが一般的である（例えば、特許文献１を参照）。ＰＤメーターは、一端に測定者用の見口、他方に被測定者が本体内部を見通す窓が設けられており、被測定者は、本体内部に映し出されている指標を注視するようこの窓に両眼を近づける。そして、測定者が、見口を覗きながら必要な操作を行って被測定者の左右の瞳孔を合致させたとき、ＰＤメーターはそのときの像を光学的に読み取ることで、瞳孔間距離及び被測定者の鼻中央より左右の瞳孔中心までの距離を測定して表示する。
【０００８】
一方、作業者（医師）が作業をしているときの体勢（手術時の体勢）は、図３で示すように、作業者は前傾姿勢を執りながら手にしている器具の先端（作業操作箇所Ｐ）を凝視している状態にある。図３において、作業者が掛けているフレームは、ルーペ２が未装着の状態で示されているが、作業者はルーペ２を通して作業操作箇所Ｐを拡大して観察している。そのため、ルーペ２をフレーム１に取り付ける際には、フレーム１のキャリアレンズ５の平面に対してルーペ２を垂直に取り付けるのではなく、上下方向では、図２で示すように下方（フレームの下縁側）に向けて傾斜しており、且つ水平方向では、図４で示すように内側（ノーズパッド側）に向けて傾斜している状態で取り付ける必要がある。
【０００９】
このときの左右のルーペ２の内側に向けて取り付ける内側装着角度ｐ１、ｐ２は、ＰＤメーターによって測定した鼻中央の中心線Ｌから左右両眼の瞳孔中心までの距離と焦点距離とから導き出される。
【００１０】
（３）眼から作業操作箇所までの距離の測定
眼から作業操作箇所Ｐまでの距離の測定は、ルーペ２が未装着のフレーム１を着用した作業者に図３に示す作業体勢を再現してもらい、このときの作業操作箇所Ｐからフレーム蔓部６とフレーム１との接続部分までの距離を測定して行う。
【００１１】
この距離の測定を、図５で模式的に示すと、作業者がフレーム１を着用して手術を行うときの体勢での作業操作箇所Ｐからキャリアレンズ５までの距離Ａと、キャリアレンズ５を通る鉛直線に直交する水平方向距離Ｂとをそれぞれメジャーを用いて実測する。そして、実測した距離Ａ、Ｂからこの辺に挟まれた角度ａを求める。
【００１２】
一方、作業者が手術を行うときの体勢では、作業者の頭部の前傾によりフレーム１も前傾しており（図３）、この前傾角度ｓは、外科手術のような立ち姿勢での手術では２５度、歯科手術のような座姿勢での手術では２０度程度である。よって、製作しようとする双眼ルーペ１０が用いられる手術に応じた２５度又は２０度の何れかの前傾角度ｓと、角度ａとから、左右のルーペ２をキャリアレンズ５に取り付ける際の下向きの角度である下方装着角度ｒ１、ｒ２がそれぞれ導き出される。
【００１３】
（４）こうして、ルーペ２の内側装着角度ｐ１、ｐ２と下方装着角度ｒ１、ｒ２を決定すると、左右のキャリアレンズ５のそれぞれにおいて、測定した瞳孔間距離の測定で求めた左右両眼の瞳孔位置からルーペ２の取り付け位置を決めて開口し、この開口にルーペ２を内側装着角度ｐ１、ｐ２と下方装着角度ｒ１、ｒ２を保って嵌め込んで双眼ルーペ１０を製作する。
【先行技術文献】
【特許文献】
【００１４】
【特許文献１】特開２０００−１４６３９号公報
【発明の概要】
【発明が解決しようとする課題】
【００１５】
しかし、従来から採用されている上記した双眼ルーペの製作方法は、作業操作箇所Ｐからキャリアレンズ５までの距離Ａやキャリアレンズ５を通る鉛直線に直交する水平方向距離Ｂを実測するために精度に難点がある。そして、作業者が手術を行うときの前傾角度ｓについても、一般的な統計上の数値が採用されるために、作業者個々がそれぞれ作業しやすい前傾角度が反映されておらず、また実測したとしても上記の距離Ａ、Ｂと同様に精度に問題がある。
【００１６】
本発明は、上記した従来技術の課題に鑑み為されたものであり、個々の作業者による作業体勢に応じた取り付け角度にてルーペのキャリアレンズに取り付けることができる双眼ルーペの製作方法を提供することを目的とするものである。
【課題を解決するための手段】
【００１７】
このため、本発明による双眼ルーペの製作方法は、フレームに装着したキャリアレンズにルーペを取り付ける双眼ルーペの製作方法であって、（ａ）作業体勢を執って下方の作業操作箇所を凝視している状態での作業者の左右の眼球に赤外線を照射するステップと、（ｂ）左右の眼球からの赤外線による反射光を一対の撮像素子によって受光するステップと、（ｃ）前記撮像素子からの画像データを処理して両眼それぞれの視線方向を演算するステップと、（ｄ）前記視線方向から左右の前記キャリアレンズ面にそれぞれ装着する前記ルーペの各内側装着角度ｐを決定するステップと、（ｅ）前記視線方向から左右の前記キャリアレンズ面にそれぞれ装着する前記ルーペの下方装着角度ｒを決定するステップと、（ｆ）前記下方装着角度ｒと、前記内側装着角度ｐとに基づいて左右の前記キャリアレンズ面に開口を形成し、前記開口に左右の前記ルーペを挿入して固定するステップと、の各ステップを有する。
【００１８】
前記ステップ（ｅ）において、前記フレームに取り付ける加速度センサーの前記作業体勢時における出力に基づき演算した前記フレームの前傾角度ｓを用いて、求めた前記下方装着角度ｒを補正するとよい。
【００１９】
前記ステップ（ａ）では、赤外線発光ダイオード又は赤外線を発光するストロボを用いて作業者の左右の眼球に赤外線を照射する。ここで、赤外線を発光するストロボとは、赤外線のみを発光するストロボには限定されず、可視光線及び赤外線をミックスして発光するストロボに赤外線だけを透過するフィルターを装着したものでもよい。
【００２０】
このとき、前記ステップ（ｃ）における前記視線方向は、前記画像データに含まれているプルキニエ像の位置から演算するが、前記プルキニエ像の位置の瞳孔の中心点からの位置（Ｘ、Ｙ）から演算することができる。
【００２１】
また、前記ステップ（ｄ）において、前記内側装着角度ｐは、角膜の曲率中心及び瞳孔の前記中心点間の寸法ｃと前記Ｘの値とで決定される。
【００２２】
そして、前記ステップ（ｅ）において、前記下方装着角度ｒは、角膜の曲率中心及び瞳孔の前記中心点間の寸法ｃと前記Ｙの値とで決定される。
【００２３】
さらに、前記キャリアレンズの左右それぞれの表面に右瞳孔位置及び左瞳孔位置を特定するステップ（ｇ）を設けることで、前記ステップ（ｆ）は、前記右瞳孔位置及び左瞳孔位置と、前記下方装着角度ｒと、前記内側装着角度ｐとに基づいて左右の前記キャリアレンズの表面に前記開口を形成する。
【００２４】
そして、前記ステップ（ｇ）では、前記作業操作箇所を凝視している状態での作業者の左右の眼球に前記作業操作箇所からストロボ光を照射し、前記ストロボ光の反射光を前記作業操作箇所に配置した撮像装置によって撮像し、前記撮像装置の撮像データから右瞳孔位置及び左瞳孔位置を特定することができる。この際、前記ステップ（ｇ）では、前記撮像データにおいて前記フレームの中心点から左右側の予め設定された領域内において輝度が予め設定された閾値を超える所定範囲の面積を有し且つその周辺領域よりも所定倍数以上の輝度を有する箇所の中心点を求めることで右瞳孔位置及び左瞳孔位置を特定する。
【００２５】
このとき、前記撮像装置は、ストロボ光照射装置を備え、前記撮像データをメモリ内に電子的に格納するデジタルカメラによって撮像するとよい。
【００２６】
また、前記ルーペとしては、前記作業操作箇所を拡大する固定倍率又は倍率を所定の範囲で可変可能なズーム機能を有するものが好ましい。
【００２７】
前記キャリアレンズは、前記作業者の視力調整用レンズである。そして、このキャリアレンズは、前記作業者が前記作業体勢を解除し前記作業操作箇所よりも上方遠方を見る時の立姿勢において、前記キャリアレンズを装着したフレームを着用した作業者による前記双眼ルーペを使用する前記立姿勢時における作業操作箇所からストロボ光を照射するステップと、前記作業者の瞳孔からの前記ストロボ光の反射光を前記作業操作箇所に配置された前記撮像装置によって撮影するステップと、前記撮像装置による正面の撮像データに基づいて、前記フレームの中心点からの前記作業者の右瞳孔位置及び左瞳孔位置を電子的に特定するステップと、前記作業者の右瞳孔位置及び左瞳孔位置に前記視力調整用レンズの中心が配置されるステップと、の各ステップを実施することで製作される。
【００２８】
また、前記ステップ（ｆ）における前記左右のルーペを装着するための開口の形成は、ＮＣ加工機により切削加工して行われる。そして、前記ステップ（ｇ）において前記左右のキャリアレンズに形成された前記開口に前記左右のルーペを取り付ける際、レーザー位置決め機によって前記下方装着角度ｒ及び前記内側装着角度ｐで位置決めし、位置決めした状態で前記左右のルーペを前記左右のキャリアレンズに挿入して固定することで双眼ルーペが製作される。
【発明の効果】
【００２９】
本発明に係る双眼ルーペの製作方法によれば、作業体勢を再現している作業者の左右の眼球の視線方向からルーペをキャリアレンズ面に取り付ける内側装着角度と下方装着角度を計測するために、作業者毎に異なる作業体勢や身体的特徴を双眼ルーペの製作に簡単に反映させることができ、作業者に合致した拡大視野を提供することができる。
【図面の簡単な説明】
【００３０】
【図１】双眼ルーペの全体構成を説明する斜視図。
【図２】双眼ルーペを着用した状態を示す説明図。
【図３】作業者（被検者）が作業している状態を示す説明図。
【図４】キャリアレンズにルーペを取り付けるときの内側装着角度について模式的に示す説明図。
【図５】キャリアレンズにルーペを取り付けるときの下方装着角度について模式的に示す説明図。
【図６】眼球の動きを模式的に示す説明図。
【図７】眼球の構成を模式的に示す説明図。
【図８】キャリアレンズ面にルーペを取り付ける際の内側装着角度及び下方装着角度を計測するシステムを概略的に示す説明図。
【図９】図８における視線方向計測装置の動作を説明するフローチャート。
【図１０】図８におけるコンピュータによる内側装着角度の算出の原理を眼球の水平断面で示す模式図。
【図１１】図８におけるコンピュータによる下方装着角度の算出の原理を眼球の垂直断面で示す模式図。
【図１２】図８におけるコンピュータの構成をブロックにより概略的に示す説明図。
【図１３】図１２におけるカメラの構成をブロックにより概略的に示す説明図。
【図１４】瞳孔位置の測定時において、カメラによりフレームを着用している被検者を撮影したときのモニター上の画面を概略的に示す説明図。
【図１５】視力調整用のキャリアレンズの焦点距離の測定時において、カメラによりフレームを着用している被検者を撮影したときのモニター上の画面を概略的に示す説明図。
【図１６】図８におけるアイカメラの具体例を示す図。
【発明を実施するための形態】
【００３１】
以下、本発明に係る双眼ルーペの製作方法の実施形態について、図面を参照して詳細に説明する。
【００３２】
［視線方向の検出］
双眼ルーペを製作するのに必要となる上記の内側装着角度ｐ１、ｐ２及び下方装着角度ｒ１、ｒ２は、製作する双眼ルーペ着用する作業者（被験者）に図３に示すような作業体勢を再現し作業対象箇所Ｐを凝視してもらい、このときの両眼それぞれの視線方向を計測することで検出される。
【００３３】
図６で示すように、眼球３０の瞳孔４３の中心点３９（図１０及び図１１を参照）から、顔面に平行で水平な軸をＸ、顔面に平行で垂直な軸をＹとすると、眼球３０は視線方向の変化に応じてそれぞれＸ軸及びＹ軸に対して回転運動を行う。このとき、眼球３０がＸ軸に対して回転したとき、眼球３０を外部から観察すると黒目部分は上下に移動し、眼球がＹ軸に対して回転したとき、黒目部分は左右に移動する。よって、本発明に係わる双眼ルーペの製作方法は、眼球３０のＸ、Ｙ方向への移動による視線方向を検出することで、内側装着角度ｐ１、ｐ２及び下方装着角度ｒ１、ｒ２を測定する。視線方向を検出する装置としては種々のタイプのものが実用に供されているが、測定の簡便性を考えると非接触型の光学的に検出する装置が好ましい。
【００３４】
光学的に視線方向を検出する方法には、プルキニエ像を認識して行う方法がある。図７の模式図で示すように、眼球３０は、強膜（白目）３１と角膜（黒目）３２があり、角膜３２は、瞳孔４３と虹彩３４とから成っている。プルキニエ像とは、光を照射したとき角膜３２に反射されて眼球３０内に映る輝点像３７である。図７（ｂ）で示すように、眼球３０においては、眼球３０の回転中心３３に対して角膜３２は中心が偏心しており、瞳孔４３の中心点３９（図１０及び図１１を参照）と回転中心３３を結ぶ線が視線Ｅとなる。眼球３０の向きが変化すると、眼球３０内に映るプルキニエ像３７の位置が眼球３０の向きに対応して移動する。よって、光源３６から眼球３０に赤外線を照射しカメラ３５が捉える眼球画像から瞳孔４３の中心点３９と角膜反射点であるプルキニエ像３７の位置座標を求めることで視線方向が検出できる。
【００３５】
図８は、視線方向計測システム４０の構成を概略的に示すもので、左右の眼球位置にそれぞれ隣接して配置する赤外線発光ダイオード３６Ａ及び３６Ｂと、赤外線の照射を受けて左右それぞれの眼球からの反射光を検出するＣＣＤ等の撮像素子を備えたアイカメラ３５Ａ及び３５Ｂと、アイカメラ３５Ａ及び３５Ｂの撮影画像から得られた両眼それぞれの画像データに基づき演算処理して両眼それぞれの視線方向を検出する視線方向計測装置４１と、検出された視線方向を演算処理して内側装着角度ｐ１、ｐ２及び下方装着角度ｒ１、ｒ２を決定する処理装置４２とから構成される。視線方向計測装置４１は、瞳孔４３の中心点３９に対するプルキニエ像３７のＸ−Ｙの位置座標を求めて両眼それぞれの視線方向を検出する。
【００３６】
このとき、赤外線発光ダイオード３６Ａ（３６Ｂ）とアイカメラ３５Ａ（３５Ｂ）とは、視線方向測定時の撮像が行いやすいように一体に構成されたものを使用するとよい。例えば、図１６で示すように、アイカメラ３５Ａ（３５Ｂ）は本体が細長形状の円筒体で構成されており、前面にカメラレンズ５０を中心にして周りに複数の赤外線発光ダイオード３６Ａ（３６Ｂ）を環状に配置して成るタイプのカメラが好適である。このようなカメラは、携帯性がよく被験者の眼球を撮像するのに操作しやすく、更に、マイクロＳＤカード等のメモリカードに撮像データを記録するカメラであればなおよい。
【００３７】
また、眼球３０に赤外線を照射する光源３６（図７）として、図８に示す構成例では赤外線発光ダイオード３６Ａ及び３６Ｂを使用したが、赤外線ストロボを用いてもよい。更に、赤外線のみを発光する赤外線ストロボに限らず、可視光線及び赤外線をミックスして発光する一般的なストロボに赤外線だけを透過するフィルターを装着したものを光源３６に用いてもよい。
【００３８】
視線方向計測装置４１の動作を図９のフローチャートを用いて説明する。視線方向計測装置４１は、まず処理Ｓ１にて赤外線発光ダイオード３６Ａ及び３６Ｂを駆動して赤外線を照射し、次の処理Ｓ２でアイカメラ３５Ａ及び３５Ｂから画像データを取り込む。
【００３９】
処理Ｓ３では、アイカメラ３５Ａ及び３５Ｂからの画像データの平滑化を行ってノイズの影響を抑え、次の処理Ｓ４では、隣接する２点の輝度差が一定値以下の領域を連結してセグメント化を行う。
【００４０】
処理Ｓ５では、セグメント化された領域の中から輪郭形状で判定して瞳孔領域を決定して瞳孔４３の中心点３９およびプルキニエ像３７を検出する。この場合、アイカメラ３５Ａ及び３５Ｂの光軸が赤外線発光ダイオード３６Ａ及び３６Ｂの光軸が一致していると明瞳孔となり、視線方向計測装置４１は、画像の明暗を利用した画像処理技術を利用して、眼球画像から明るい瞳孔４３の中心点３９と明るいプルキニエ像３７を検出する。逆に、赤外線発光ダイオード３６Ａ及び３６Ｂがアイカメラ３５Ａ及び３５Ｂと離れた位置から眼球３０に赤外線を照射していると暗瞳孔となり、眼球画像から暗い瞳孔４３の中心点３９と明るいプルキニエ像３７を検出する。
【００４１】
そして、処理Ｓ６で視線方向計測装置４１は、瞳孔４３の中心点３９に対するプルキニエ像３７のＸ、Ｙの位置座標を求める演算処理を行うことで、右眼及び左眼のそれぞれの視線方向を（Ｘ１、Ｙ１）及び（Ｘ２、Ｙ２）の座標を示す信号を出力する。
【００４２】
こうして、左右両眼の視線方向が検出されると、処理装置４２は、処理Ｓ７にて視線方向計測装置４１によって示される座標（Ｘ１、Ｙ１）及び（Ｘ２、Ｙ２）のデータから内側装着角度ｐ１、ｐ２及び下方装着角度ｒ１、ｒ２を演算する。
【００４３】
内側装着角度ｐ１、ｐ２及び下方装着角度ｒ１、ｒ２の演算について説明する。図１０は、眼球３０の水平断面模式図で被験者が作業操作箇所Ｐを凝視したときの眼球３０の水平方向の回転角度である内側装着角度ｐ（ｐ１、ｐ２）を求める演算の基本的な原理を示している。図１０（ａ）は眼球３０が中央を見ている状態を模式図により示しており、眼球３０の回転中心３３、角膜３２の曲率中心３８、プルキニエ像３７及び瞳孔４３の中心点３９は眼球の視線Ｅの線上に整列している。
【００４４】
そして、被験者が作業操作箇所Ｐを凝視すると、右眼であると眼球３０は図１０（ｂ）で示すように左を見る方向に回転する。すなわち、視線Ｅは左方向にｐ度変位する。よって、プルキニエ像３７と瞳孔４３の中心点３９との間に生じる変位量がプルキニエ像３７のＸ−Ｙ座標のＸ値に対応している。このとき、角膜３２の曲率中心３８と瞳孔４３の中心点３９との間の寸法をｃとすると、眼球３０に回転角度ｐは、
ｐ＝ａｒｃｓｉｎ（Ｘ／ｃ）
の数式で算出される。そして、この回転角度ｐが内側装着角度となる。
【００４５】
よって、右眼におけるプルキニエ像の位置を（Ｘ１、Ｙ１）とし、左眼におけるプルキニエ像３７の位置を（Ｘ２、Ｙ２）としたとき、内側装着角度ｐ１、ｐ２は、
ｐ１＝ａｒｃｓｉｎ（Ｘ１／ｃ）
ｐ２＝ａｒｃｓｉｎ（Ｘ２／ｃ）
の各数式によってそれぞれ求めることができる。
【００４６】
次に、被験者が作業操作箇所Ｐを凝視したときの眼球３０の上下方向の回転角度である下方装着角度ｒ（ｒ１又はｒ２）を求める数式を図１１を用いて説明する。図１１は眼球３０の垂直断面模式図であるが、眼球３０の回転中心３３、角膜３２の曲率中心３８及び瞳孔４３の中心点３９の各条件は図１０と同様である。そして、眼球３０が中央を見ている状態では図１１（ａ）で示すように、眼球３０の回転中心３３、角膜３２の曲率中心３８、プルキニエ像３７及び瞳孔４３の中心点３９は眼球の視線Ｅの線上に整列している点も図１０（ａ）と同様である。
【００４７】
図１１（ｂ）は、被験者が作業操作箇所Ｐを凝視して眼球３０が下方に回転した状態を示しており、視線Ｅは下方向にｒ度変位する。プルキニエ像３７と瞳孔４３の中心点３９との間に生じる変位量がプルキニエ像３７のＸ−Ｙ座標のＹ値に対応している。このとき回転角度ｒは、
ｒ＝ａｒｃｓｉｎ（Ｙ／ｃ）
の数式で算出される。そして、この回転角度ｒが下方装着角度となる。
【００４８】
よって、左右両眼の下方装着角度ｒ１、ｒ２は、
ｒ１＝ａｒｃｓｉｎ（Ｙ１／ｃ）
ｒ２＝ａｒｃｓｉｎ（Ｙ２／ｃ）
の各数式でそれぞれ求めることができる。
【００４９】
視線方向を光学的に測定する別の方法としては、図８において、アイカメラ３５Ａ及び３５Ｂを用いて眼球３０の画像を取り込みと、画像の明暗を利用した画像処理技術を用いて、強膜（白目）と角膜（黒目）の光に対する反射率の差を利用して強膜と角膜の境目の変化から眼球の向きを検出することでも視線方向が検出される。
【００５０】
ここで、被験者が作業操作箇所Ｐを凝視するときは、図３で説明したように前傾姿勢を執る傾向にあり、処理装置４２が演算した下方装着角度ｒ１、ｒ２にこの前傾角度ｓの分も含まれていることもある。このような場合、下方装着角度ｒ１、ｒ２は、キャリアレンズ５の垂直面と直交する線に対しての下向きの角度以上の値を示すため、視線方向のＹ座標の値から求めた前傾角度ｓによって下方装着角度ｒ１、ｒ２を補正するとよい。
【００５１】
前傾角度ｓを求めるには、加速度センサー（図示せず）を用いることができる。例えば、被験者が作業操作箇所Ｐを凝視するときに加速度センサーを装着したフレーム１を着用していると、被験者が前傾したとき加速度センサーはフレーム１の傾き角に応じた電圧を出力する。よって、処理装置４２は、ステップＳ７（図９）の処理において、下方装着角度ｒ１、ｒ２を演算したとき、加速度センサーからの電圧信号に基づき前傾角度ｓを算出し、算出した前傾角度ｓに基づいて下方装着角度ｒ１、ｒ２を補正することができる。
【００５２】
［瞳孔位置の特定］
瞳孔位置を特定するには、被験者が装着した左右のキャリアレンズ５の表面で両眼が対応する位置に直接マーキングしてもよいが、コンピュータによってモニター画面上で瞳孔位置を特定することもできる。
【００５３】
図１２は、製作する双眼ルーペ１０の設計を支援するコンピュータ２０の概略構成を示しており、このコンピュータ２０によって瞳孔位置を特定する実施例を説明する。図１２において、コンピュータ２０は、中央制御部２３と、種々の制御プログラムが記憶されているＲＯＭ２５と、モニター部２１と、入力デバイス２２と、カメラ１１や処理装置４２との間でデータ及び信号の授受を行うインターフェース２４とを含んで構成される。中央制御部２３は、ＲＯＭ２５に書き込まれている制御プログラムを実行することで、撮像制御部２３ａ、瞳孔位置特定制御部２３ｂ及びキャリアレンズ測定制御部２３ｃ等として機能する。
【００５４】
カメラ１１は、図１３で示すように、制御部１２、ストロボ光照射装置１３、光学系１４、撮像素子１５、画像メモリ１６及びコンピュータ２０とデータ及び信号の授受を行うインターフェース１７を含んで構成されるデジタルカメラである。
【００５５】
制御部１２は、カメラ１１の各部を制御するプログラム記憶部と、このプログラムを実行するＣＰＵとを備えている。制御部１２の制御としては、コンピュータ２０からの指示に伴う光学系１４の撮像倍率やピント合わせ等の制御、画像メモリ１６に対する画像の保存や読出し等の制御を行う。
【００５６】
カメラ１１を用いた瞳孔位置の特定について具体的に説明する。瞳孔位置の特定は、コンピュータ２０がカメラ１１を作動して行うが、このとき、中央制御部２３はカメラ１１を制御して、フレーム１を着用した作業者の両眼にズームし、フレーム１の中心点Ｏ（図４）に焦点距離を合わせる。よって、カメラ１１はコンピュータ２０からの指示により、光学系１４が捉えて撮像素子１５により電気信号に変換された画像信号をコンピュータ２０に出力している。そして、コンピュータ２０が、この画像をモニター部２１に表示することで、双眼ルーペの製作者は、カメラ１１が捉える画像の範囲や位置合わせ等の調整を入力デバイス２２から指示することができ、コンピュータ２０はこの調整指示の内容に従ってカメラ１１による撮影画像を調整する。
【００５７】
そして、カメラ１１は、双眼ルーペの製作者の指示の下でコンピュータ２０から送られる撮像指令に応答して、ストロボ光照射装置１３からストロボ光を照射させ撮影を行う。これにより、カメラ１１の撮像素子１５は、光学系１４からの撮影光を電気信号に変換して出力し、制御部１２は、この撮像データを画像メモリ１６に保存する。
【００５８】
そして、コンピュータ２０の中央制御部２３は、カメラ１１の画像メモリ１６に保存した撮像データを読み出してモニター部２１に表示する。ストロボ光によって撮影を行うと左右両眼の瞳孔が光を反射し、撮像データの中でもこの部分の輝度は高くなる。
【００５９】
図１４は、このときのモニター部２１上の画面を表示している。中央制御部２３は、フレームの中心点Ｏから左右側の予め設定された撮像データの領域内において各画素を走査し、輝度が予め設定された閾値を超える領域を検出する。そして、この閾値を超えている領域が所定範囲の面積を有して、且つその周辺領域よりも所定倍数以上の輝度を有する箇所の中心点ｐ１１、ｐ１２を求める演算処理を行うことで、作業者の右瞳孔位置（ＸＲ１、ＹＲ１）及び左瞳孔位置（ＸＬ１、ＹＬ１）を電子的に特定する。
【００６０】
このように中央制御部２３が画像素子の輝度を演算により走査して、作業者の右瞳孔位置（ＸＲ１、ＹＲ１）及び左瞳孔位置（ＸＬ１、ＹＬ１）を特定する画像処理の方法以外にも、製作者がモニター部２１の表示している画像から右の瞳孔位置ｐ１１及び左の瞳孔位置ｐ１２を入力デバイス２２のマウス等によって直接ポイントアウトすることで、中央制御部２３はポイントアウトされた位置を演算して、右瞳孔位置（ＸＲ１、ＹＲ１）及び左瞳孔位置（ＸＬ１、ＹＬ１）を電子的に特定するようにしても良い。
【００６１】
コンピュータ２０は、ルーペ２を通して被検者が作業操作箇所Ｐを凝視する際の右瞳孔位置（ＸＲ１、ＹＲ１）及び左瞳孔位置（ＸＬ１、ＹＬ１）を電子的に特定すると、処理装置４２から送られてくる内側装着角度ｐ１、ｐ２及び下方装着角度ｒ１、ｒ２とに基づき製作する双眼ルーペ１０の仕様を決定し、モニター部２１に表示する。
【００６２】
［キャリアレンズの製作］
キャリアレンズ５は、作業者の近視や遠視などの視力を調整するレンズであり、遠近両用の二重焦点レンズでも良い。なお、視力の調整が必要のない作業者には、素通しのレンズが使用される。
【００６３】
キャリアレンズ５は、ルーペ２が取り付けられる前に、すなわち、被験者がフレーム１を選択したときに製作される。このとき、被験者が視力の調整が必要な場合、作業者の顔面にストロボ光を当てることによりレンズの焦点距離を測定することができる。
【００６４】
この場合、中央制御部２３はカメラ１１を制御して、被験者の顔面にストロボ光を当てて撮影するのは、上記した瞳孔位置の特定のときと同じである。しかし、このとき被検者には、作業体勢ではなく自然体による立姿勢で作業操作箇所Ｐよりも上方の水平方向で遠方を見てもらい、フレーム１を着用した作業者の両眼にズームして、フレーム１の中心点Ｏに焦点距離を合わせる。そして、作業操作箇所Ｐにあるカメラ１１は、コンピュータ２０からの指示により、光学系１４が捉えて撮像素子１５により電気信号に変換された画像信号をコンピュータ２０に出力する。コンピュータ２０が、この画像をモニター部２１の画面上に表示し、双眼ルーペの製作者は撮影画像の範囲や位置合わせ等の調整を入力デバイス２２から指示することができ、コンピュータ２０はこの調整指示の内容に従ってカメラ１１を制御する。
【００６５】
そして、カメラ１１は、コンピュータ２０から送られる撮像指令に応答して、ストロボ光照射装置１３からストロボ光を照射させて撮影を行う。そして、カメラ１１の撮像素子１５は、光学系１４からの撮影光を電気信号に変換して出力し、制御部１２は、この撮像データを画像メモリ１６に保存する。
【００６６】
コンピュータ２０の中央制御部２３は、カメラ１１の画像メモリ１６に保存した撮像データを読み出してモニター部２１に表示する。前述したように、ストロボ光にて撮影を行うと左右両眼の瞳孔位置は周辺の部分と比べて輝度が高くなり、モニター部２１は図１３に示す画像を表示する。
【００６７】
よって、中央制御部２３は、フレーム１の中心点Ｏから左右側の予め設定された撮像データの領域内において各画素を走査し、輝度が予め設定された閾値を超える領域を検出する。そして、この閾値を超えている領域が所定範囲の面積を有して、且つその周辺領域よりも所定倍数以上の輝度を有する箇所の中心点ｐ１３、ｐ１４を求める演算処理を行うことで、作業者の右瞳孔位置（ＸＲ２、ＹＬ２）及び左瞳孔位置（ＸＬ２、ＹＬ２）を電子的に特定する。
【００６８】
また画像処理の方法以外にも、上記したように、製作者がモニター部２１の表示している画像から右の瞳孔位置ｐ１３及び左の瞳孔位置ｐ１４を入力デバイス２２のマウス等によって直接ポイントアウトすることで、中央制御部２３は右瞳孔位置（ＸＲ２、ＹＬ２）及び左瞳孔位置（ＸＬ２、ＹＬ２）を電子的に特定することもできる。
【００６９】
そして、製作者は、被験者の右瞳孔位置（ＸＲ２、ＹＬ２）及び左瞳孔位置（ＸＬ２、ＹＬ２）に視力調整用レンズの中心が合うように左右のキャリアレンズ５を加工する。こうした作業者の視力調整が可能なキャリアレンズ５を有した双眼ルーペを使用すれば、作業時には作業者はルーペ２を通して作業箇所における精密部分を拡大して凝視することができ、作業体勢を解除して自然体のときはキャリアレンズ５を通して矯正された視界を確保できるために、作業の準備や周囲の人との作業についての打ち合わせ等において、その都度、双眼ルーペを外して眼鏡に掛け替える手間がなくなる。
【００７０】
［キャリアレンズへのルーペの取り付け］
キャリアレンズ５が決まると、ＮＣ加工機（図示せず）に下方装着角度ｒ１、ｒ２及び内側装着角度ｐ１、ｐ２と、右瞳孔位置（ＸＲ１、ＹＲ１）及び左瞳孔位置（ＸＬ１、ＹＬ１）のデータを入力することで、ＮＣ加工機は切削加工のプログラムに従ってこれらのデータに基づきキャリアレンズ５の表面からルーペ２の挿入部分を刳り抜いて開口部を形成する。この場合、双眼ルーペ１０の設計を支援するコンピュータ２０を利用して、下方装着角度ｒ１、ｒ２及び内側装着角度ｐ１、ｐ２と、右瞳孔位置（ＸＲ１、ＹＲ１）及び左瞳孔位置（ＸＬ１、ＹＬ１）のデータをＮＣ加工機に送信してもよい。また、コンピュータ２０がＮＣ加工機を直接制御して開口部を形成することもできる。
【００７１】
そして、開口部の形成後、ルーペ２を開口部からキャリアレンズ５に挿入し、レーザー位置決め機（図示せず）によって、下方装着角度ｒ１、ｒ２及び内側装着角度ｐ１、ｐ２の調整を行い取付部３（図１）によりルーペ２をキャリアレンズ５に固定する。ルーペ２は、作業操作箇所Ｐを拡大する固定倍率又は倍率を所定の範囲で可変可能なズーム機能を有するものを使用すれば、実用性の高い双眼ルーペとすることができる。
【００７２】
取付部３は、ルーペ２を固定するアダプターと、キャリアレンズ５を挟んだ状態でこのアダプターを締め付けるリングとから成り、アダプターは、ルーペ２をキャリアレンズ５面に対して下方装着角度ｒ１、ｒ２及び内側装着角度ｐ１、ｐ２で保持して固定するように構成されている。また、ルーペ２をキャリアレンズ５に固定するには、ルーペ２を下方装着角度ｒ１、ｒ２及び内側装着角度ｐ１、ｐ２を維持した状態で開口部に嵌め込み接着材にて接着する方法がある。
【産業上の利用可能性】
【００７３】
本発明は、医療手術や精密作業の際に使用される双眼ルーペであって、キャリアレンズにルーペを取り付ける際に、作業者個々の特徴に応じた角度で取り付けることができる双眼ルーペの製作方法に関するものであり、産業上の利用可能性を有する。
【符号の説明】
【００７４】
１      フレーム
２      ルーペ
５      キャリアレンズ
１０    双眼ルーペ
１１    カメラ（撮像装置）
１３    視線方向検出装置
１８    ストロボ光照射装置
３５（３５Ａ、３５Ｂ）    アイカメラ
３６（３６Ａ、３６Ｂ）    赤外線発光ダイオード
Ｐ      作業操作箇所
ｐ      ルーペの内側装着角度
ｒ      ルーペの下方装着角度
【図１】
2015031770.tif 000003
【図２】
2015031770.tif 000004
【図３】
2015031770.tif 000005
【図４】
2015031770.tif 000006
【図５】
2015031770.tif 000007
【図６】
2015031770.tif 000008
【図７】
2015031770.tif 000009
【図８】
2015031770.tif 000010
【図９】
2015031770.tif 000011
【図１０】
2015031770.tif 000012
【図１１】
2015031770.tif 000013
【図１２】
2015031770.tif 000014
【図１３】
2015031770.tif 000015
【図１４】
2015031770.tif 000016
【図１５】
2015031770.tif 000017
【図１６】
2015031770.tif 000018
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
フレームに装着したキャリアレンズにルーペを取り付ける双眼ルーペの製作方法であって、
（ａ）作業体勢を執って下方の作業操作箇所を凝視している状態での作業者の左右の眼球に赤外線を照射するステップと、
（ｂ）左右の眼球からの赤外線による反射光を一対の撮像素子によって受光するステップと、
（ｃ）前記撮像素子からの画像データを処理して両眼それぞれの視線方向を演算するステップと、
（ｄ）前記視線方向から左右の前記キャリアレンズ面にそれぞれ装着する前記ルーペの各内側装着角度ｐを決定するステップと、
（ｅ）前記視線方向から左右の前記キャリアレンズ面にそれぞれ装着する前記ルーペの下方装着角度ｒを決定するステップと、
（ｆ）前記下方装着角度ｒと、前記内側装着角度ｐとに基づいて左右の前記キャリアレンズ面に開口を形成し、前記開口に左右の前記ルーペを挿入して固定するステップと、の各ステップを有することを特徴とする双眼ルーペの製作方法。
【請求項２】
前記ステップ（ａ）では、赤外線発光ダイオード又は赤外線を発光するストロボを用いて作業者の左右の眼球に赤外線を照射することを特徴とする請求項１に記載の双眼ルーペの製作方法。
【請求項３】
前記ステップ（ｃ）における前記視線方向は、前記画像データに含まれているプルキニエ像の位置から演算することを特徴とする請求項１に記載の双眼ルーペの製作方法。
【請求項４】
前記ステップ（ｃ）における前記視線方向は、顔面に平行で水平の軸をＸとし、顔面に平行で垂直な軸をＹとしたとき、前記プルキニエ像の位置の瞳孔の中心点からのＸの値とＹの値とから演算することを特徴とする請求項３に記載の双眼ルーペの製作方法。
【請求項５】
前記ステップ（ｄ）において、前記内側装着角度ｐは、角膜の曲率中心及び瞳孔の前記中心点間の寸法ｃと前記Ｘの値とで決定することを特徴とする請求項４に記載の双眼ルーペの製作方法。
【請求項６】
前記ステップ（ｅ）において、前記下方装着角度ｒは、角膜の曲率中心及び瞳孔の前記中心点間の寸法ｃと前記Ｙの値とで決定することを特徴とする請求項４に記載の双眼ルーペの製作方法。
【請求項７】
前記ステップ（ｅ）において、加速度センサーを取り付けた前記フレームを着用した作業者による前記作業体勢時における前記加速度センサーの出力に基づき前記フレームの前傾角度ｓを演算し、前記前傾角度ｓを用いて前記下方装着角度ｒを補正することを特徴とする請求項１又は６に記載の双眼ルーペの製作方法。
【請求項８】
前記キャリアレンズの左右それぞれの表面において右瞳孔及び左瞳孔に対応する位置を定めるステップ（ｇ）をさらに含み、前記ステップ（ｆ）は、前記右瞳孔位置及び左瞳孔位置と、前記下方装着角度ｒと、前記内側装着角度ｐとに基づいて左右の前記キャリアレンズの表面に前記開口を形成することを特徴とする請求項１乃至７の何れかに記載の双眼ルーペの製作方法。
【請求項９】
前記ステップ（ｇ）は、前記作業操作箇所を凝視している状態での前記作業者の左右の眼球に前記作業操作箇所からストロボ光を照射し、前記ストロボ光の反射光を前記作業操作箇所に配置した撮像装置によって撮像し、前記撮像装置の撮像データから右瞳孔位置及び左瞳孔位置を特定することを特徴とする請求項８に記載の双眼ルーペの製作方法。
【請求項１０】
前記ステップ（ｇ）は、前記撮像データにおいて前記フレームの中心点から左右側の予め設定された領域内において輝度が予め設定された閾値を超える所定範囲の面積を有し且つその周辺領域よりも所定倍数以上の輝度を有する箇所の中心点を求めることで右瞳孔位置及び左瞳孔位置を特定することを特徴とする請求項９に記載の双眼ルーペの製作方法。
【請求項１１】
前記撮像装置は、ストロボ光照射装置を備え、前記撮像データをメモリ内に電子的に格納するデジタルカメラであることを特徴とする請求項９に記載の双眼ルーペの製作方法。
【請求項１２】
前記ルーペは、前記作業操作箇所を拡大する固定倍率又は倍率を所定の範囲で可変可能なズーム機能を有する特徴とする請求項１に記載の双眼ルーペの製作方法。
【請求項１３】
前記キャリアレンズは、前記作業者の視力調整用レンズである請求項１に記載の双眼ルーペの製作方法。
【請求項１４】
前記作業者が前記作業体勢を解除し前記作業操作箇所よりも上方遠方を見る時の立姿勢において、
前記キャリアレンズを装着したフレームを着用した前記作業者による前記双眼ルーペを使用する前記立姿勢時における作業操作箇所からストロボ光を照射するステップと、
前記作業者の瞳孔からの前記ストロボ光の反射光を前記作業操作箇所に配置された撮像装置によって撮影するステップと、
前記撮像装置による正面の撮像データに基づいて、前記フレームの中心点からの前記作業者の右瞳孔位置及び左瞳孔位置を電子的に特定するステップと、
前記作業者の右瞳孔位置及び左瞳孔位置に前記視力調整用レンズの中心が配置されるステップと、
の各ステップを有し、これにより前記キャリアレンズを製作することを含む請求項１３に記載の双眼ルーペの製作方法。
【請求項１５】
前記ステップ（ｆ）における前記左右のルーペを装着するための開口の形成は、ＮＣ加工機により切削加工して行われることを特徴とする請求項１に記載の双眼ルーペの製作方法。
【請求項１６】
前記ステップ（ｆ）において前記左右のキャリアレンズに形成された前記開口に前記左右のルーペを取り付ける際、レーザー位置決め機によって前記下方装着角度ｒ及び前記内側装着角度ｐで位置決めし、位置決めした状態で前記左右のルーペを前記左右のキャリアレンズに挿入して固定することを特徴とする請求項１５に記載の双眼ルーペの製作方法。
【手続補正２】
【補正対象書類名】明細書
【補正対象項目名】００２０
【補正方法】変更
【補正の内容】
【００２０】
このとき、前記ステップ（ｃ）における前記視線方向は、顔面に平行で水平の軸をＸとし、顔面に平行で垂直な軸をＹとしたとき、前記プルキニエ像の位置の瞳孔の中心点からのＸの値とＹの値とから演算することができる。
【手続補正３】
【補正対象書類名】明細書
【補正対象項目名】００２３
【補正方法】変更
【補正の内容】
【００２３】
さらに、前記キャリアレンズの左右それぞれの表面において右瞳孔及び左瞳孔に対応する位置を定めるステップ（ｇ）を設けることで、前記ステップ（ｆ）は、前記右瞳孔位置及び左瞳孔位置と、前記下方装着角度ｒと、前記内側装着角度ｐとに基づいて左右の前記キャリアレンズの表面に前記開口を形成する。
【手続補正４】
【補正対象書類名】明細書
【補正対象項目名】００２８
【補正方法】変更
【補正の内容】
【００２８】
また、前記ステップ（ｆ）における前記左右のルーペを装着するための開口の形成は、ＮＣ加工機により切削加工して行われる。そして、前記ステップ（ｆ）において前記左右のキャリアレンズに形成された前記開口に前記左右のルーペを取り付ける際、レーザー位置決め機によって前記下方装着角度ｒ及び前記内側装着角度ｐで位置決めし、位置決めした状態で前記左右のルーペを前記左右のキャリアレンズに挿入して固定することで双眼ルーペが製作される。
【手続補正５】
【補正対象書類名】明細書
【補正対象項目名】００５２
【補正方法】変更
【補正の内容】
【００５２】
［瞳孔位置の特定］
左右のキャリアレンズ５のそれぞれの表面において右瞳孔及び左瞳孔に対応する位置を定めるには、被験者が装着した左右のキャリアレンズ５の表面で両眼が対応する位置に直接マーキングしてもよいが、コンピュータによってモニター画面上で瞳孔位置を特定することもできる。